(57)【特許請求の範囲】
【請求項１】
一対の引掛刃を有する引掛シーリングキャップを既設の引掛シーリングボディに引掛けて使用される天井用照明器具であって、
光源及び前記光源の支持体を有する灯具部と
前記灯具部に電源を供給して前記灯具部の点灯動作を制御する電源ユニットと
前記支持体が着脱可能に装着される引掛シーリングキャップとから構成され、
前記灯具部は、前記支持体に設けられたリモコン受信部と
前記光源に接続された光源側電源線と
前記リモコン受信部に接続された受信部側リモコン信号線とを有し、
前記引掛シーリングキャップは、上面に一対の引掛刃を有し、
前記電源ユニットは、前記引掛シーリングキャップ内に収容されるとともに、
前記リモコン受信部から伝送されるリモコン信号で制御される電源スイッチと
前記引掛シーリングキャップから前記電源スイッチを経由して引き出された電源側電源線と
前記リモコン信号を受け取るために前記引掛シーリングキャップから引き出された電源側リモコン信号線とを有し、
前記電源側電源線が、前記引掛シーリングキャップの近傍で前記光源側電源線と分離可能に電源接続コネクタにて接続され、
前記電源側リモコン信号線が、前記引掛シーリングキャップの近傍で前記受信部側リモコン信号線と分離可能にリモコン信号線接続コネクタにて接続されている
ことを特徴とする天井用照明器具。
【請求項２】
一対の引掛刃を有する引掛シーリングキャップを既設の引掛シーリングボディに引掛けて使用される照明器具であって、
各々に光源を有する複数の灯器と
前記複数の灯器を支持するアームと
前記アームの一箇所の上部に設けられたシーリングカバーとを有する灯具部と
前記灯具部に電源を供給して前記灯具部の点灯動作を制御する電源ユニットと
前記シーリングカバーが着脱可能に装着される引掛シーリングキャップとから構成され、
前記灯具部は、前記光源に接続された光源側電源線を有し、
前記引掛シーリングキャップは、上面に一対の引掛刃を有し、
前記電源ユニットは、前記引掛シーリングキャップ内に収容されるとともに、
リモコン回路と
前記リモコン回路により制御される複数の電源スイッチと
前記引掛シーリングキャップから前記電源スイッチを経由して引き出された電源側電源線とを有し、
前記電源側電源線が、前記引掛シーリングキャップの近傍で前記光源側電源線と分離可能に電源接続コネクタにて接続されている
ことを特徴とする天井用照明器具。
【請求項３】
一対の引掛刃を有する引掛シーリングキャップを既設の引掛シーリングボディに引掛けて使用される照明器具であって、
各々に光源を有する複数の灯器と
前記複数の灯器を支持するアームと
前記アームの一箇所の上部に設けられたシーリングカバーとを有する灯具部と
前記灯具部に電源を供給して前記灯具部の点灯動作を制御する電源ユニットと
前記シーリングカバーが着脱可能に装着される引掛シーリングキャップとから構成され、
前記灯具部は、前記シーリングカバーに設けられたリモコン受信部と
前記光源に接続された光源側電源線と
前記リモコン受信部に接続された受信部側リモコン信号線とを有し、
前記引掛シーリングキャップは、上面に一対の引掛刃を有し、
前記電源ユニットは、前記引掛シーリングキャップ内に収容されるとともに、
前記リモコン受信部から伝送されるリモコン信号で制御される複数の電源スイッチと
前記引掛シーリングキャップから前記電源スイッチを経由して引き出された電源側電源線と
前記リモコン信号を受け取るために前記引掛シーリングキャップから引き出された電源側リモコン信号線とを有し、
前記電源側電源線が、前記引掛シーリングキャップの近傍で前記光源側電源線と分離可能に電源接続コネクタにて接続され、
前記電源側リモコン信号線が、前記引掛シーリングキャップの近傍で前記受信部側リモコン信号線と分離可能にリモコン信号線接続コネクタにて接続されている
ことを特徴とする天井用照明器具。
【請求項４】
前記引掛シーリングキャップが円筒形であって、
前記シーリングカバーが、前記引掛シーリングキャップに嵌着されるシーリングカバー取付台と前記シーリングカバー取付台を内蔵するようにして前記シーリングカバー取付台に取り付けられるシーリングカバー本体とから構成され、
前記シーリングカバー取付台は、円形の底面と前記円形の底面の周囲に立設された起立壁面とを備え、
前記円形の底面には前記引掛シーシングキャップが通過できるシーリングカバー取付台円形穴と前記シーリングカバー本体を吊着するための複数の吊下ボルトを有し、
前記シーリングカバー取付台円形穴に嵌入された前記引掛シーリングキャップが前記シーリングカバー取付台に装着され、
前記シーリングカバー本体は、前記複数の吊下ボルトにより、前記シーリングカバー取付台に吊着されることを特徴とする
請求項２又は３に記載の天井用照明器具。
【請求項５】
前記引掛シーリングキャップが外周に雄ネジが形成された円筒形であって、
前記支持体が上面に前記引掛シーシングキャップが通過できる円形穴を有し、
前記引掛シーリングキャップに対して嵌合可能な雌ネジが形成されたリング体を
前記円形穴に嵌入された前記引掛シーリングキャップに嵌合させ、
前記リング体を上下に移動させることにより、前記リング体の位置を上下方向に調整可能としたことを特徴とする請求項１に記載の天井用照明器具。
【請求項６】
前記引掛シーリングキャップの外周に雄ネジが形成され、前記引掛シーリングキャップに対して嵌合可能な雌ネジが形成されたリング体を、前記シーリングカバー取付台円形穴に嵌入された前記引掛シーリングキャップに嵌合させ、前記リング体を上下に移動させることにより、前記リング体の位置を上下方向に調整可能としたことを特徴とする請求項４に記載の天井用照明器具。
【発明の詳細な説明】
【技術分野】
【０００１】
本発明は、電子部品を内蔵した電源ユニットと灯具部とが容易に分離可能で故障時の修理が簡単な天井用照明器具に関するものである。
【背景技術】
【０００２】
近年、光による空間デザインや省エネルギー化を目的として、様々な天井用照明器具が一般家庭に導入されている。この天井用照明器具は、天井に予め設けられた引掛シーリングボディに引掛シーリングキャップの引掛刃を係合して天井に支持されるのが一般的である。
そして天井用照明器具は、灯具部と灯具部を天井に支持しかつ電気的結合を行う引っ掛けシーリングキャップを一つにして製品となる。灯具部は、蛍光灯、ＬＥＤ等の光源と、その光源を支持する支持体と、支持体に設けられた電源ユニットの３つの要素から構成される。
【０００３】
近年の天井用照明器具の電源ユニットには、ＬＥＤ素子に直流電源を供給するための整流回路や光源の点灯を制御するリモコン回路、さらには光源の明るさや色合いを制御するための調光回路等の電子部品が内蔵されている。特にリモコン回路は利便性の面で近年の天井用照明器具には必須の要件となっている。
そして照明器具の故障の大半が電源ユニットに内蔵された電子部品の不良や劣化によるものであるが、電源ユニットは支持体に内蔵されているため、容易に照明器具から取り出すことができない。特に従来のＬＥＤ照明器具は、光源と支持体は健全でありながら、電源ユニットが故障したときにその部分だけを修理することができず、照明器具全体を破棄せざるを得ない状況であった。
【０００４】
また、故障を修理するためには、照明器具全体をメーカーの製造工場に運送するか、電気器具の修理業者に修理を依頼する以外に方法はなかった。そのような状況から、故障した照明器具の梱包や送料、修理費に多額を要し、費用対効果を勘案した結果、故障した照明器具を廃棄して新しい照明器具に取換える場合が多くある。
そこで、実用新案登録第３１５４７６１号広報（以下「特許文献１」という。）に複数のＬＥＤ発光モジュールと、電源制御回路板と、検出センサと飾りリングを着脱自在にしたＬＥＤ灯具が開示されている。さらに特開２０１３−２２５４３８号広報（以下「特許文献２」という。）に天井に設けられた給電コンセントに固定するための受電フックと第１方向を軸方向とする円柱状の電源部ケースとＬＥＤ照明器具に設けられた器具側係止部に係止し、電源部ケースの第１方向における受電フック寄り部分から突出するユニット側係止部と、給電コンセントから受電フックを介して入力された交流電力を、ＬＥＤランプを点灯させうる直流電力に変換し出力するとともに、電源部ケースの第１方向における受電フックとは反対寄り部分に収容されたＬＥＤランプ用電源部とを備えるＬＥＤ照明器具が開示されている。
【０００５】
【特許文献１】実用新案登録第３１５４７６１号広報
【特許文献２】特開２０１３−２２５４３８号広報
【発明の概要】
【発明が解決しようとする課題】
【０００６】
しかしながら、特許文献１のＬＥＤ灯具は、電源制御回路版が着脱自在に設けられているものの、電源制御回路版が灯笠、灯座、底板、飾りリング等で構成される灯具部の内部に設置されているため、電源制御回路を取り出すには、結局灯具部を分解せざるを得なかった。また、特許文献２のＬＥＤ照明器具は電源部ケースを含む照明器具取付装置がＬＥＤ照明器具全体から容易に分離可能な構造を有し、電源部ケースには交流電力を直流電力に変換するＡＣ／ＤＣ回路、直流電圧などを調整する２つのＤＣ／ＤＣ回路、制御用ＩＣを含んだ構成となっているが、近年の天井用照明器具において重要な役割を担うリモコン回路が内蔵されていない。
【０００７】
そこで本発明は上記の問題点を解決することを課題としており、リモコン回路を含む電子部品を内蔵した電源ユニットが、光源を備えた灯具部から容易に分離可能で故障時の修理が簡単な天井用照明器具を提供することを目的としている。
【課題を解決するための手段】
【０００８】
上記目的を達成するために本発明は、天井用照明器具のリモコン回路を含む電源ユニットを引掛シーリングキャップ内に備えたことを主な特徴とする。
【０００９】
すなわち、第１の本発明の天井用照明器具は、一対の引掛刃を有する引掛シーリングキャップを既設の引掛シーリングボディに引掛けて使用される天井用照明器具であって、光源及び光源の支持体を有する灯具部と灯具部に電源を供給して灯具部の点灯動作を制御する電源ユニットと支持体が着脱可能に装着される引掛シーリングキャップとから構成され、灯具部は、光源に接続された光源側電源線を有し、引掛シーリングキャップは、上面に一対の引掛刃を有し、電源ユニットは、引掛シーリングキャップ内に収容されるとともに、リモコン回路とリモコン回路により制御される電源スイッチと引掛シーリングキャップから電源スイッチを経由して引き出された電源側電源線とを有し、電源側電源線が、引掛シーリングキャップの近傍で光源側電源線と分離可能に電源接続コネクタにて接続されていることを特徴とする。
【００１０】
光源の点灯制御を行うリモコン回路と電源スイッチを含む全ての電子部品が配置された電源ユニットを、天井に予め設けられた引掛シーリングボディに係合する引掛シーリングキャップ内に備え、電源線がシーリングキャップの近傍で電源側と光源側に分離可能に電源接続コネクタで接続されていることで、需要者は、電源ユニットが故障したときに、灯具部を残したまま、容易に電源ユニットを内蔵するシーリングキャップだけを分離して修理にだすことができる。あるいは、シーリングキャップのみを新たに購入して取り替えることができる。
【００１１】
光源は、商用電源をそのまま用いる白熱電球、電球型蛍光灯や直流電源への整流機能を備えた電球型LED、直流電源を用いる電球型LED等、様々な種類のものを用いることができる。直流で動作する光源を用いる場合には、電源ユニット内に整流回路を備えることになる。また光源の調光を行う場合は、電源ユニット内に調光回路を備えることになる。
【００１２】
また、光源が複数ある場合でもリモコンで光源を操作可能なため、壁スイッチやプルスイッチに比べて容易に光による空間デザインを行うことができる。リモコンには、２．４ＧＨｚ帯の電磁波を用いる、いわゆるＲＦリモコンやLEDから出力された赤外線を副搬送波で変調した光パルスを用いる、いわゆるＩＲリモコン等が採用される。ＩＲリモコンを用いる場合は、シーリングキャップの外面にリモコン受信部を設ける必要があるが、ＲＦリモコンを用いる場合は、シーリングキャップの外面にリモコン受信部を設ける必要はない。
【００１３】
さらに、第２の本発明の天井用照明器具は、一対の引掛刃を有する引掛シーリングキャップを既設の引掛シーリングボディに引掛けて使用される天井用照明器具であって、光源及び光源の支持体を有する灯具部と灯具部に電源を供給して灯具部の点灯動作を制御する電源ユニットと支持体が着脱可能に装着される引掛シーリングキャップとから構成され、灯具部は、支持体に設けられたリモコン受信部と光源に接続された光源側電源線とリモコン受信部に接続された受信部側リモコン信号線とを有し、引掛シーリングキャップは、上面に一対の引掛刃を有し、電源ユニットは、引掛シーリングキャップ内に収容されるとともに、リモコン受信部から伝送されるリモコン信号で制御される電源スイッチと引掛シーリングキャップから電源スイッチを経由して引き出された電源側電源線とリモコン信号を受け取るために引掛シーリングキャップから引き出された電源側リモコン信号線とを有し、電源側電源線が、引掛シーリングキャップの近傍で光源側電源線と分離可能に電源接続コネクタにて接続され、電源側リモコン信号線が、引掛シーリングキャップの近傍で受信部側リモコン信号線と分離可能にリモコン信号線接続コネクタにて接続されていることを特徴とする。
【００１４】
リモコン受信部を支持体に設けた照明器具であっても、光源の点灯制御を行うリモコン回路と電源スイッチを含む電子部品が配置された電源ユニットを、天井に予め設けられた引掛シーリングボディに係合する引掛シーリングキャップ内に備え、電源線がシーリングキャップの近傍で電源側と光源側に分離可能に電源接続コネクタで接続され、リモコン信号線が電源側と受信部側に分離可能に信号線接続コネクタで接続されていることで、需要者は、電源ユニットが故障したときに、灯具部を残したまま、容易に電源ユニットを内蔵するシーリングキャップだけを分離して修理にだすことができる。あるいは、シーリングキャップのみを新たに購入して取り替えることができる。
【００１５】
さらに第３の本発明の天井用照明器具は、一対の引掛刃を有する引掛シーリングキャップを既設の引掛シーリングボディに引掛けて使用される照明器具であって、各々に光源を有する複数の灯器と複数の灯器を支持するアームとアームの一箇所の上部に設けられたシーリングカバーとを有する灯具部と灯具部に電源を供給して灯具部の点灯動作を制御する電源ユニットとシーリングカバーが着脱可能に装着される引掛シーリングキャップとから構成され、灯具部は、光源に接続された光源側電源線を有し、引掛シーリングキャップは、上面に一対の引掛刃を有し、電源ユニットは、引掛シーリングキャップ内に収容されるとともに、リモコン回路とリモコン回路により制御される複数の電源スイッチと引掛シーリングキャップから電源スイッチを経由して引き出された電源側電源線とを有し、電源側電源線が、引掛シーリングキャップの近傍で光源側電源線と分離可能に電源接続コネクタにて接続されていることを特徴とする。
【００１６】
光源を内蔵する複数の灯器をアームで支持して、アームの一箇所上部に引掛シーリングキャップと着脱可能に係合するシーリングカバーが設けられる。シーリングカバーは、灯器とアーム全体の重心位置に設けられることが好ましい。引掛シーリングボディに鉛直方向にのみ力が加わるようになるからである。
【００１７】
また、複数の光源を各々制御するには、電源ユニットから引き出される電源線等の配線が増加することになる。そこで、電源側電源線と光源側電源線の分離・接続時の配線間違いを防止するために、全ての配線（電源・信号）の色と接続コネクタ（電源・信号）の形状との組み合わせを異なるものとすることが好ましい。
【００１８】
複数の灯器をアームで支持する、いわゆる多灯型天井用照明器具は、照明器具全体としてはかなり大きなものになるが、電源ユニットの故障時に大きな灯具部を残したまま、引掛シーリングキャップのみを分離して、修理にだす、あるいは引掛シーリングキャップのみを取り替えることができる。
【００１９】
さらに第４の本発明の天井用照明器具は、一対の引掛刃を有する引掛シーリングキャップを既設の引掛シーリングボディに引掛けて使用される照明器具であって、各々に光源を有する複数の灯器と複数の灯器を支持するアームとアームの一箇所の上部に設けられたシーリングカバーとを有する灯具部と灯具部に電源を供給して灯具部の点灯動作を制御する電源ユニットとシーリングカバーが着脱可能に装着される引掛シーリングキャップとから構成され、灯具部は、シーリングカバーに設けられたリモコン受信部と光源に接続された光源側電源線とリモコン受信部に接続された受信部側リモコン信号線とを有し、引掛シーリングキャップは、上面に一対の引掛刃を有し、電源ユニットは、引掛シーリングキャップ内に収容されるとともに、リモコン受信部から伝送されるリモコン信号で制御される複数の電源スイッチと引掛シーリングキャップから電源スイッチを経由して引き出された電源側電源線とリモコン信号を受け取るために引掛シーリングキャップから引き出された電源側リモコン信号線とを有し、電源側電源線が、引掛シーリングキャップの近傍で光源側電源線と分離可能に電源接続コネクタにて接続され、電源側リモコン信号線が、引掛シーリングキャップの近傍で受信部側リモコン信号線と分離可能にリモコン信号線接続コネクタにて接続されていることを特徴とする。リモコン受信部がシーリングカバーに設けられる照明器具の場合でも、容易に電源ユニットを内蔵する引掛シーリングキャップを灯具部から分離できる。
【００２０】
さらに第５の本発明の天井用照明器具は、第３又は第４の本発明において、引掛シーリングキャップが円筒形であって、シーリングカバーが、引掛シーリングキャップに嵌着されるシーリングカバー取付台とシーリングカバー取付台を内蔵するようにしてシーリングカバー取付台に取り付けられるシーリングカバー本体とから構成され、シーリングカバー取付台は、円形の底面と円形の底面の周囲に立設された起立壁面とを備え、円形の底面には引掛シーシングキャップが通過できるシーリングカバー取付台円形穴とシーリングカバー本体を吊着するための複数の吊下ボルトを有し、シーリングカバー取付台円形穴に嵌入された引掛シーリングキャップが支持体の上面に装着され、シーリングカバー本体は、複数の吊下ボルトにより、シーリングカバー取付台に吊着されることを特徴とする。
【００２１】
シーリングカバー本体は、シーリングカバー取付台を内蔵するように上面が解放された円筒形であり、内部に電源線又は信号線の接続コネクタ（電源・信号）による接続部分が収容される。またシーリングカバーは円形の底面を有することが好ましい。防塵効果と意匠効果があるからである。  
【００２２】
さらに第６の本発明の天井用照明器具は、第２の本発明において、引掛シーリングキャップが外周に雄ネジが形成された円筒形であって、支持体が上面に引掛シーシングキャップが通過できる円形穴を有し、引掛シーリングキャップに対して嵌合可能な雌ネジが形成されたリング体を円形穴に嵌入された引掛シーリングキャップに嵌合させ、リング体を上下に移動させることにより、リング体の位置を上下方向に調整可能としたことを特徴とする。このような構成とすることで、支持体の引掛シーリングキャップへの装着と支持体の位置調整が容易となる。
【００２３】
さらに第７の本発明の天井用照明器具は、第５の本発明において、引掛シーリングキャップの外周に雄ネジが形成され、引掛シーリングキャップに対して嵌合可能な雌ネジが形成されたリング体を、シーリングカバー取付台円形穴に嵌入された引掛シーリングキャップに嵌合させ、リング体を上下に移動させることにより、リング体の位置を上下方向に調整可能としたことを特徴とする。シーリングカバーの引掛シーリングキャップへの装着とシーリングカバーの位置調整が容易となる。
【００２４】
さらに第８の本発明の天井用照明器具は、第２〜第５のずれか１つの本発明において、引掛シーリングキャップが円筒形であって、引掛シーリングキャップは、水平方向に出没する上下一組の出没片を前記引掛シーリングキャップ側壁の対向する二箇所に備えることを特徴とする。出没片は引掛シーリングキャップ側壁から突出した状態に付勢する付勢バネを備える。そして必要に応じて付勢バネの付勢に対抗して出没片をシーリングキャップ側壁から没入した状態に移動させるための解除凸片をシーリングキャップの下面に形成してもよい。
【００２５】
さらに第９の本発明の天井用照明器具は、第２〜第８のいずれか１つの本発明において、電源ユニット内に光源の調光回路を有することを特徴とする。調光回路をリモコンで制御することにより、照明による空間デザインが容易に行える。
【発明の効果】
【００２６】
本発明の天井用照明器具は、リモコン回路を含む電子部品を内蔵した電源ユニットが、光源を備えた灯具部から容易に分離でき、故障時の修理が簡単である。
【図面の簡単な説明】
【００２７】
【図１】本発明の天井用照明器具の第１概略システム図である。
【図２】本発明の天井用照明器具の第２概略システム図である。
【図３】従来の天井用照明器具の概略システム図である。
【図４】本発明の第１実施形態（実施例１）に係る天井用照明器具の全体構成図ある。
【図５】本発明の第１実施形態（実施例１）に係る天井用照明器具の引掛シーリングキャップ部分の内部拡大図である。
【図６】本発明の第１実施形態（実施例１）に係る天井用照明器具の内部配線図である。
【図７】本発明の第２実施形態（実施例２）に係る天井用照明器具の全体構成図ある。
【図８】本発明の第２実施形態（実施例２）に係る天井用照明器具の引掛シーリングキャップ部分の内部拡大図である。
【発明を実施するための形態】
【００２８】
図面を使って、本発明の実施の形態を説明する。
図３は、従来の天井用照明器具を構成部分毎に点線又は一点鎖線で区切って示した概略システム図である。従来の天井用照明器具（以下「従来品」という。）は、引掛シーリングボディ１１０と引掛シーリングキャップ１１２と灯具部１５０とから構成される。そして、灯具部１５０は、支持体７００と支持体７００に支持された灯器６５０とから構成される。灯器６５０内には光源６００a〜光源６０２ｂが配置される。
【００２９】
灯具部１５０内に電源ユニット盤２０６が固定され、電源ユニット盤２０６には電源ユニット２１０が備えられる。電源ユニット２１０には、引掛シーリングボディ１１０に係合した引掛シーリングキャップ１１２の引掛刃１１４とシーリングキャップコネクタ４２０を通じて商用電源９００が供給される。
【００３０】
電源ユニット２１０には、光源（A系統１）６００a〜光源（Ｂ系統２）６０２ｂを制御するための電源スイッチ（A系統）２２０ａと電源スイッチ（B系統）２２０ｂとが設けられ、光源（A系統１）６００ａ〜光源（B系統２）６０２ｂの電源の入切を行う。
また、電源ユニット２１０には、整流回路２４０とリモコン回路２５０と調光回路２３０とが設けられ、整流回路２４０では、光源（Ａ系統１）６００a〜光源（Ｂ系統２）６０２ｂがLEDの場合には、直流電源を供給する。そして、調光回路２３０は、光源（Ａ系統１）６００a〜光源（Ｂ系統２）６０２ｂの調光を行う。
【００３１】
光源（Ａ系統１）６００a〜光源（Ｂ系統２）６０２ｂに接続された光源側電源線（共通）５００ｃと光源側電源線（A系統）５００aと光源側電源線（B系統）５００ｂは、各々電源ユニット２１０に設けられた電源側電源線４００ｃと電源側電源線４００aと電源側電源線４００ｂに圧着端子４１０で結合されている。
【００３２】
支持体７００に設けられたリモコン受信部２５２には、電源ユニット２１０に設けられたリモコン信号線４０６が接続されている。リモコン受信部２５２は、フォトダイオードで光パルスによるリモコン信号を受信し、リモコン信号線４０６を介して電源ユニット２１０内のリモコン回路２５０までリモコン信号を伝送する。
【００３３】
リモコン回路２５０では、伝送されたリモコン信号に応じて電源スイッチ２２０ａ（Ａ系統）と電源スイッチ（Ｂ系統）２２０ｂの入切を制御する。
【００３４】
ここで、支持体７００と灯器６５０は、一体的に固定されており、電源ユニット２１０を内蔵する電源ユニット盤２０６も支持体７００に固定されている。従って電源ユニット２１０が故障して、灯器６５０は健全な場合でも、電源ユニット盤２０６だけを容易に分離することができず、天井用照明器具全体を修理に出すことになる。
【００３５】
図１は、本発明の天井用照明器具を構成部分毎に点線又は一点鎖線で区切って示した第１概略システム図である。図１は、リモコン受信部を支持体７００に設けず、シーリングキャップからリモコン信号線が出ていない天井用照明器具を示している。以下に図３の従来品と異なる部分のみ、その内容を説明する。
【００３６】
従来品と大きく異なるところは、電源ユニット２１０が引掛シーリングキャップ１１２内に固定されていることである。そして電源ユニット２１０に設けられた電源ユニット側電源線（共通）４０２ｃ・電源ユニット側電源線（Ａ系統）４０２a・電源ユニット側電源線（B系統）４０２ｂは、電源側電源線（共通）４００ｃ・電源側電源線（Ａ系統）４００a・電源側電源線（B系統）４００ｂと、各々中間に設けられた電源接続コネクタ（共通）４０４ｃと電源接続コネクタ（A系統）４０４aと電源接続コネクタ（B系統）４０４ｂとにより容易に分離可能となっている。引掛シーリングキャップ１１２は、電源スイッチ（Ａ系統）２２０ａと電源スイッチ（Ｂ系統）２２０ｂと調光回路２３０とを制御するリモコン回路２５０も内蔵する。リモコン信号は、リモコン回路で直接受信する。
【００３７】
ここで、引掛シーリングキャップ１１２は容易に灯具部１５０から分離可能であるから、電源ユニット２１０が故障した場合には、引掛シーリングキャップ１１２のみを修理に出せばよいことになる。
【００３８】
図２は、本発明の天井用照明器具を構成部分毎に点線又は一点鎖線で区切って示した第２概略システム図である。図２は、リモコン受信部２５２が支持体７００に設けられた天井用照明器具を示している。
【００３９】
図１と大きく異なるところは、電源ユニット２１０に設けられた電源ユニット側電源線（共通）４０２ｃ・電源ユニット側電源線（Ａ系統）４０２a・電源ユニット側電源線（B系統）４０２ｂは、電源側電源線（共通）４００ｃ・電源側電源線（Ａ系統）４００a・電源側電源線（B系統）４００ｂと、各々中間に設けられた電源接続コネクタ（共通）４０４ｃと電源接続コネクタ（A系統）４０４aと電源接続コネクタ（B系統）４０４ｂとにより容易に分離可能となっていることに加えて、リモコン受信部２５２に設けられた受信部側リモコン信号線４０６rと電源ユニット２１０に設けられた電源側リモコン信号線４０６ｄは、中間に設けられたリモコン信号線接続コネクタ４０８により容易に分離可能となっているところである。
【００４０】
図１の天井用照明器具と同様に、電源ユニット２１０が故障した場合には、引掛シーリングキャップ１１２のみを修理に出せばよいことになる。
【実施例】
【００４１】
次に、本発明における天井用照明器具の実施例について、図を用いて具体的に説明する。
【００４２】
（実施例１）
図４は、本発明の第１実施形態（以下「実施例１」という。）に係る天井用照明器具の全体構成図である。
【００４３】
天井８００に引掛シーリングボディ１１０が設けられており、これに引掛シーリングキャップ１１２が引掛刃１１４により力学的、電気的に結合する。引掛シーリングキャップ１１２には、雄ネジ１１６と係合する雌ネジ１２０が設けられたリング体１１８によりシーリングカバー取付台２００ｂが嵌着され、シーリングカバー取付台２００ｂにシーリングカバー本体２００ａが吊下ボルト１４２と長ナット１４０によって装着される。
【００４４】
シーリングカバー本体２００ａの内部では、電源ユニット側電源線４０２が電源側電源線４００と電源接続コネクタ４０４を介して接続されている。同様に電源側リモコン信号線４０６ｄが受信部側リモコン信号線４０６ｒとリモコン信号線接続コネクタ４０８を介して接続されている。
【００４５】
そして、シーリングカバー本体２００ａ下部には支持体７００が固定され、支持体７００には、４個の灯器６５０が吊下されている。４個の灯器６５０内には光源（Ａ系統１）６００a〜光源（Ｂ系統２）６０２ｂが配置されている。
【００４６】
図５は、実施例１の天井用照明器具の引掛シーリングキャップを左右に半割した状態の内部拡大図である。
【００４７】
引掛シーリングキャップ１１２の上面には引掛刃１１４が対向するように設けられ、側壁には雄ネジ１１６が形成されている。シーリングキャップ１１２の内部では、引掛刃１１４に電源ユニット２１０から電源線が配線されている。
【００４８】
引掛シーリングキャップ１１２の底面から電源ユニット側電源線４０２と電源側リモコン信号線４０６ｄが引き出されている。
【００４９】
次に、図６を用いて実施例１の天井用照明器具の内部配線の状態を説明する。図６は、シーリングカバー本体２００aと支持体７００とを縦に半割して内部の構造を表したものである。引掛刃１１４から電源接続コネクタ４０４とリモコン信号線接続コネクタ４０８までの配線状況は前述のとおりであるから、ここでは、それ以降の配線の状況を説明する。
【００５０】
電源接続コネクタ４０４によって３本の電源ユニット側電源線４０２と３本の電源側電源線４００とが接続され、３本の電源側電源線４００は３つの圧着端子４１０において、各々光源側電源線（共通）５００ｃと光源側電源線（Ａ系統）５００ａと光源側電源線（Ｂ系統）５００ｂに分配される。
【００５１】
光源側電源線（共通）５００ｃは圧着端子４１０の光源側で４本に分配され、各々が支持体７００の空洞部分を通って、４個の光源（Ａ系統１）６００ａ〜光源（Ｂ系統２）６０２ｂに接続される。また光源側電源線（Ａ系統）５００ａは、圧着端子４１０の光源側で２本に分配され、各々が支持体７００の空洞部分を通って、２個の光源（Ａ系統１）６００ａと光源（Ａ系統２）６０２ａとに接続される。そして光源側電源線（Ｂ系統）５００ｂは、圧着端子４１０の光源側で２本に分配され、各々が支持体７００の空洞部分を通って、２個の光源（Ｂ系統１）６００ｂと光源（Ｂ系統２）６０２ｂとに接続される。
【００５２】
一方、電源側リモコン信号線４０６ｄはリモコン信号線接続コネクタ４０８によって受信部側リモコン信号線４０６ｒに接続され、受信部側リモコン信号線４０６ｒはシーリングカバー本体２００ａに外部に露出する形態で設けられたリモコン受信部２５２に接続される。リモコン受信部２５２は、フォトダイオードで光パルスによるリモコン信号を受信して電源ユニット２１０までリモコン信号を伝送する。
【００５３】
（実施例２）
次に、図７と図８を用いて本発明の第２実施形態（以下「実施例２」という。）に係る天井用照明器具を具体的に説明する。図７は、実施例２の天井用照明器具の全体構成図、図８は実施例２の天井用照明器具の引掛シーリングキャップを半割した状態の内部拡大図である。ここでは、実施例１の天井用照明器具と異なるところだけを説明する。
【００５４】
実施例２の天井用照明器具のシーリングキャップ１１２は、実施例１と異なり、円筒形の側壁に対向する一対の出没片１３０を備えている。図８に示すように出没片１３０はコイルばね１３２によって常時シーリングキャップ１１２の側壁から突出するように力が加えられている。そして、出没片１３０の上部には、実施例１の天井用照明器具と同様に電源ユニット２１０が設けられている。
【００５５】
シーリングキャップ１１２にシーリングカバー取付台２００ｂを嵌入し、その下からリング体１１８を押し上げて上下一組の出没片１３０の中間にリング体を鋏み込むことでシーリングカバー取付台２００ｂがシーリングキャップ１１２に係合する。  
【００５６】
以上、本発明の実施例を具体的に説明したが、本発明は実施例のように複数の灯器が棒状の支持体に支持される多灯型天井用照明器具に限られるものではなく、灯器が一つだけの天井用照明器具も包含するものである。
【符号の説明】
【００５７】
１００    天井用照明器具
１１０    引掛シーリングボディ
１１２    引掛シーリングキャップ
１１４    引掛刃
１１６    雄ネジ
１１８    リング体
１２０    雌ネジ
１３０    出没片
１３２    コイルばね
１４０    長ナット
１４２    吊下ボルト
１５０    灯具部
２００a   シーリングカバー本体
２００b   シーリングカバー取付台
２０６    電源ユニット盤
２１０    電源ユニット
２２０a   電源スイッチ（A系統）
２２０b   電源スイッチ（B系統）
２３０    調光回路
２４０    整流回路
２５０    リモコン回路
２５２    リモコン受信部
４００    電源側電源線  
４００c   電源側電源線（共通）
４００a   電源側電源線（A系統）
４００b   電源側電源線（B系統）
４０２    電源ユニット側電源線
４０２c   電源ユニット側電源線（共通）
４０２a   電源ユニット側電源線（A系統）
４０２b   電源ユニット側電源線（B系統）
４０４    電源接続コネクタ
４０４c   電源接続コネクタ（共通）
４０４a   電源接続コネクタ（A系統）  
４０４b   電源接続コネクタ（B系統）
４０６    リモコン信号線
４０６d   電源側リモコン信号線
４０６r   受信部側リモコン信号線
４０８    リモコン信号線接続コネクタ
４１０    圧着端子
４２０    シーリングキャップコネクタ
５００c   光源側電源線（共通）
５００a   光源側電源線（A系統）
５００b   光源側電源線（B系統）
６００a   光源（A系統１)
６００b   光源（B系統１）
６０２a   光源（A系統２）
６０２b   光源（B系統２）
６５０    灯器
７００    支持体
８００    天井
９００    商用電源  
【要約】
【課題】天井用照明器具のリモコン回路を含む電子部品を内蔵する電源ユニットが、光源を備えた灯具部から容易に分離可能で、故障時の修理が簡単な天井用照明器具を提供する。
【解決手段】  天井用照明器具１００を、灯具部１５０と灯具部１５０が着脱可能に装着される引掛シーリングキャップ１１２とから構成した上で、灯具部１５０の点灯動作を制御するリモコン回路２５０及び電源スイッチ（A系統）２２０ａ並びに電源スイッチ（B系統）２２０ｂを含む電源ユニット２１０を引掛シーリングキャップ１１２内に収容することで電源ユニット２１０が容易に灯具部１５０から分離可能とする。
【選択図】図１【図１】
0006915912.tif 000002
【図２】
0006915912.tif 000003
【図３】
0006915912.tif 000004
【図４】
0006915912.tif 000005
【図５】
0006915912.tif 000006
【図６】
0006915912.tif 000007
【図７】
0006915912.tif 000008
【図８】
0006915912.tif 000009